(57)【要約】【課題】１出力の出力電圧に基いてフィードバック制御され、複数の負荷へ直流電圧を供給する多出力のスイッチング電源を有する電気機器の制御装置では、互いの負荷の組み合わせによって生じるクロスレギュレーションによる出力電圧変動範囲を抑制するために、非フィードバック出力にダミー抵抗を挿入することによって、ロスが生じていた。【解決手段】フィードバック対象である第１の直流出力９に、第１のダミー負荷１３を設け、制御部１５を用いて、負荷の駆動指令に基いて、第１のダミー負荷１３の大きさを制御する。【選択図】  図１
2004357420.tif 000002
【特許請求の範囲】
【請求項１】
一次巻線と複数の二次巻線を有するトランスと、前記トランスの一次巻線に直列に接続されたスイッチング手段と、前記二次巻線に各々接続された複数の整流手段とによって構成され、少なくとも２個以上の負荷に、少なくとも異なる２種以上の直流電圧を供給するスイッチング電源と、前記負荷の駆動指令を行う制御部とを備え、前記スイッチング電源は、第１の直流出力の出力電圧のみに基いてフィードバック制御され、前記第１の直流出力には、前記制御部からの指示に基いて負荷の大きさが調整される第１のダミー負荷が接続されており、第２の直流出力に接続される負荷への駆動指令に基いて、前記制御部により、第１の直流出力に接続された前記第１のダミー負荷の大きさを制御することを特徴とする電気機器の制御装置。
【請求項２】
制御部は、第１の直流出力に接続される第１の負荷の駆動指令と、第２の直流出力に接続される第２の負荷の駆動指令との組み合わせに基いて、前記第１のダミー負荷の大きさを制御することを特徴とする、請求項１記載の電気機器の制御装置。
【請求項３】
制御部は、第１の直流出力と第２の直流出力を含む少なくとも３個以上の複数のスイッチング電源の直流出力に接続される負荷の駆動指令の組み合わせに基いて、第１のダミー負荷の大きさを制御することを特徴とする、請求項１記載の電気機器の制御装置。
【請求項４】
第２の直流出力には、制御部の指示に基いて負荷の大きさが調整される第２のダミー負荷を備え、前期制御部は、少なくとも第２の直流出力に接続される第２の負荷を含む１ないしは複数の負荷の駆動指令に基いて、第１のダミー負荷の大きさと、前記第２のダミー負荷の大きさとを制御することを特徴とする、請求項１〜３のいずれかに記載の電気機器の制御装置。
【発明の詳細な説明】
【０００１】
【発明の属する技術分野】
本発明は、異なる出力電圧によって制御される複数の負荷をもつ電気機器に搭載され、負荷への電源供給を行う多出力電源と、負荷へ駆動指令を行う制御部とを有する電気機器の制御装置に関するものである。
【０００２】
【従来の技術】
従来技術を図を用いながら説明する。図１０は従来の電気機器の制御装置における構成図である。
【０００３】
空気調和機などの電気機器は、多機能かつきめ細かな制御を実現するため、各種のモーターや電磁弁など多くの負荷を有している。上記の負荷は、様々な電圧によって駆動されるものが多く、従来の電気機器の制御装置は、異なる電圧によって駆動される多くの負荷を、様々な組み合わせで制御する必要がある。
【０００４】
上記負荷には、直流電圧によって駆動されるものも多く、マイコンを始めとして、電磁弁の駆動コイルへの通電におけるオン・オフの切替を行うリレーや、ＤＣモータへの制御信号等、表示用のＬＥＤなど負荷の種類によって、供給される直流出力電圧は、３種類を超えることが多い。
【０００５】
そのため、従来の電気機器の制御装置は、二次巻数３を複数個備えたトランス４を用いて構成される多出力型のスイッチング電源１１を備え、このスイッチング電源１１によって、上記負荷への電源供給を行っている。
【０００６】
通常、スイッチング電源１１のフィードバック対象は、１つであるから、スイッチング電源１１の出力の１回路をもってフィードバック制御する場合には、他の出力電圧を完全に制御することはできず、一方の出力に接続される負荷の変動によって、他方の出力電圧に変動が生じるクロスレギュレーションの課題がよく知られている。
【０００７】
多出力型のスイッチング電源１１の各出力に接続される負荷の組み合わせによって、各出力の電圧変動が大きくなるクロスレギュレーションの影響を、機器に接続される負荷の特性上問題のない範囲内におさめるため、従来の電気機器の制御装置では、各出力にダミー抵抗１０１を設けて、非フィードバック対象の出力電圧の変動幅を抑制する方法が一般的に知られている。
【０００８】
また、スイッチング電源１１のフィードバック対象となる第１の直流出力電圧９以外の出力である、第２の直流出力１０に関しては、第２の直流出力１０に接続される第２の負荷１４が軽い場合に第２の直流出力１０の電圧が増加するのを抑制する方法として、第２の負荷１４と並列にダミー負荷を設け、これを制御する方法が記載されている（例えば特許文献１参照）。
【０００９】
また、スイッチング電源１１のすべての出力に接続される負荷の影響まで含めて、上記すべての直流出力電圧を抑制する方法として、スイッチング電源１１の各出力にダミー負荷を設け、各出力毎に負荷電流を検出し、検出された負荷電流に応じてダミー負荷の大きさを制御する方法が記載されている（例えば特許文献２参照）。
【００１０】
また、出力の電圧変動を全体的に小さくする別の方法としては、一般的に、図１０に示すように、抵抗１０３、１０４、１０５を介し、複数の直流出力電圧から合成された電圧をもとに、フィードバック制御する方法が知られている。
【００１１】
【特許文献１】
特開平７−３３７００７号公報
【特許文献２】
特開２００１−２６８９０８号公報
【００１２】
【発明が解決しようとする課題】
しかしながら、上記引用文献１および引用文献２に記載の構成では、出力電圧を抑制するために、負荷の出力電流を検出する手段が必要となることで、構成が複雑になり、コストアップにつながるという課題を有していた。
【００１３】
また、複数の出力からフィードバックする方法では、フィードバック対象となるそれぞれの出力の電圧がともに変動するため、１出力フィードバック時におけるフィードバック対象の出力と同程度の精度を有する直流出力電圧を得るためには、別に３端子レギュレータなどの定電圧素子を用いなければならなかった。
【００１４】
３端子レギュレータなどの定電圧素子の使用にあたっては、入出力間に電位差が発生すること、また、別に素子の制御電流が必要となることから、無負荷状態に極めて近い、例えば待機時における消費電力の低減をさらに必要とする場合には、上記定電圧素子による損失がネックとなっていた。
【００１５】
本発明は、このような従来の課題を解決するものであり、ただ１つの出力のみからフィードバック制御することによって、比較的精度を確保できる出力を１回路確保しつつ、かつ、フィードバック対象の直流出力に、その負荷の大きさが制御可能なダミー負荷を設け、電気機器における負荷の駆動指令に合わせて、制御部によってダミー負荷の大きさを制御することで、フィードバックしていない出力電圧の変動範囲を小さくする電気機器の制御装置を提供することを目的とする。
【００１６】
【課題を解決するための手段】
上記課題を解決するために、本発明における電気機器の制御装置は、少なくとも２個以上の二次巻線を有するトランスと、前記トランスの一次巻線と直列に接続され、ただ１つの出電圧によってフィードバック制御されるスイッチング手段とから構成される多出力電源を備え、かつ、フィードバック対象となる出力には、制御部の指示に基いて負荷の大きさを可変できる第１のダミー負荷を備える。
【００１７】
制御部は、負荷への駆動指令を出すが、クロスレギュレーションにより、フィードバック対象ではない第２の直流出力電圧の変動を抑制するように、第１の直流出力に接続される第１のダミー負荷の大きさを電源内のスイッチング手段のオンデューティを調整するものである。
【００１８】
すなわち、本発明の電気機器の制御装置は、第１の直流出力に接続された負荷が軽いほど、第２の直流出力を含む他の出力に接続された負荷の総計が重いほど、第２の直流出力における出力電圧は低下することから、第２の直流出力に接続される負荷として、あらかじめ定められた負荷よりも重い負荷を駆動する場合には、第１のダミー負荷をオンさせ、さらに負荷が重くなるにつれて、第１のダミー負荷を重くするように制御するものである。
【００１９】
さらに、第１の直流出力に接続された負荷が軽くなるにしたがって、その駆動指令とともに、第１のダミー負荷を重くするものである。
【００２０】
さらに、第３の直流出力に接続される負荷が重くなるにしたがって、その駆動指令とともに、第１のダミー負荷を重くするものである。
【００２１】
また、第１の直流出力に接続された負荷が重くなるほど、第２およびその他の出力に接続される負荷が軽くなるほど、第１のダミー負荷を軽くするとともに、第２の直流出力に接続される、第２のダミー負荷を重くするよう、負荷の駆動指令情報に基いて、第１および第２のダミー負荷の大きさを調整するものである。
【００２２】
【発明の実施の形態】
以下に、本発明の実施の形態について図面を参照しながら説明する。
【００２３】
（実施の形態１）
図１は、本発明の実施の形態１にかかる電気機器の制御装置の構成である。
【００２４】
本発明の電気機器の制御装置は、商用電源を整流して得られる平滑コンデンサ、または電池、またはバッテリー等から構成される直流電圧源１と、一次巻線２と２個の独立した二次巻線３ａ、３ｂとを備えたトランス４と、直流電圧源１の両端に一次巻線２と直列に接続されたスイッチング手段５と、一次巻線２の両端に接続されたスナバ回路６と、それぞれの二次巻線３ａ、３ｂに接続されて整流・平滑動作を行う、整流素子７ａ、７ｂおよび平滑コンデンサ８ａ、８ｂとから構成され、第１の直流出力９および第２の直流出力１０の２出力を有するスイッチング電源１１を備えている。
【００２５】
スイッチング電源１１の第１の直流出力９には、フィードバック電圧検出手段１２が接続され、第１の直流出力９の出力電圧に基いてスイッチング手段５のオンデューティがフィードバック制御されることにより、第１の直流出力９の電圧は安定化されている。
【００２６】
スイッチング電源１１の負荷には、それぞれ異なる直流電圧で駆動される第１の負荷１３および第２の負荷１４とがあり、マイコン等で構成される制御部１５は、上記負荷に対してそれぞれ駆動指令を出して制御する。
【００２７】
第１の直流出力９に接続された第１の負荷１３は、その負荷変動範囲が広く、特に機器の待機時における消費電力低減のため、軽負荷時の消費電力は極めて小さく設定されている。
【００２８】
また第２の直流出力１０に接続される第２の負荷１４は、待機時においては無負荷状態となり、最大時には第１の負荷１０の負荷電流を超える負荷電流となるというように、さらに負荷変動範囲が広くなっている。
【００２９】
ここで言う負荷とは、同じ出力電圧に接続される１つないしは複数の負荷群のことを差し、例えば、空気調和機の例では、第１の負荷１３はＤＣ５Ｖで駆動されるマイコンやＬＥＤ、リモコンの受信回路などであり、第２の負荷１４は、ニ方弁コイルをオン／オフするためにＤＣ１２Ｖ等で駆動される駆動用リレーなどである。
【００３０】
このような条件下において、フィードバック対象である第１の直流出力９に接続された第１の負荷１３が極めて小さく、かつ、第２の直流出力１０に接続された第２の負荷１４が非常に大きい場合には、第１の負荷１３の大きさに応じて決定されるスイッチング手段５のオンデューティが極めて小さくなることから、第２の直流出力１０の出力電圧を維持するだけのフィードバック量が得られなくなる。
【００３１】
よって、フィードバック中に第１の直流出力９の出力電圧がわずかに低下する間に、第２の直流出力１０の出力電圧は大きく低下し、第２の直流出力１０は、図２に示す波形のように、低周波の大きな電圧リプルを生じて、結果的に平均出力電圧が大幅に低下してしまうといった現象が生じる。
【００３２】
図３に、一般的な２出力電源における、非フィードバック側の負荷−出力電圧特性を表す。第１の直流出力９の電圧は、フィードバック制御の対象であり、安定していることから、図３には第２の直流出力１０の出力電圧特性のみを記載している。
【００３３】
図３において、第１の負荷１３の負荷電流Ｉ１が低い場合には、第２の負荷１４の負荷電流Ｉ２がある値を超えて大きくなると、先述したように、第２の直流出力１０の出力電圧が大きく低下する現象が生じていることがわかる。
【００３４】
また逆に、図３からも明らかなように、第２の負荷１４が軽負荷となり、第２の負荷１４の負荷電流がある値を下回ると、急に第２の直流出力１０の電圧が上昇する傾向があることも一般的によく知られているが、先述したリプル発生により生じる第２の直流出力１０における電圧低下の影響度合は、これと比較しても顕著である。
【００３５】
そこで、本発明は、第２の直流出力１０に接続された第２の負荷１４の負荷電流が設計段階でおおよそ把握できることを利用して、以下のような制御を行う。
【００３６】
すなわち、第２の直流出力１０に接続された負荷のうち、一定の電流以上の負荷電流を必要とする負荷をオンさせる場合には、制御部１５は、その負荷の駆動指令を出すとともに、第１の直流出力９に接続された第１のダミー負荷１６の負荷を大きくし、ダミー電流が大きく流れるように指令を出す。
【００３７】
図４に第１のダミー負荷１６の構成を表す。第１のダミー負荷１６は、ダミー抵抗１７とスイッチ手段１８を直列に接続した構成であり、制御部１５は、スイッチ手段１８を単にオンまたはオフとする２段階制御する。
【００３８】
なお、より細かな制御のために、制御部１５は、スイッチ手段１８をスイッチングさせてデューティ制御にて連続的に負荷の大きさを変えてもよい。
【００３９】
図３の負荷特性から明らかなように、第１の直流出力９に接続される第１の負荷１３の負荷電流がある程度以上あれば、先述したリプル発生による第２の直流出力１０の出力低下現象は生じないから、本制御を行うことによって、スイッチング電源１１は、第１の負荷１３の大小にかかわらず、第２の直流出力電圧１０を安定に供給することが可能となる。
【００４０】
またあわせて、第２の負荷１１の増大によって、第２の直流出力１０の電圧が低下する影響についても、第１の直流出力９に接続された第１のダミー負荷１６の増加に伴って、スイッチング電源９におけるスイッチング手段５のオンデューティが増加するため、第２の直流出力１０における電圧低下を抑制する効果が得られるという利点もある。
【００４１】
以上のように、本発明の電気機器の制御部１５は、あらかじめ接続される負荷の大きさを把握していることから、実際の負荷電流を検出することなく、クロスレギュレーションの悪い負荷の組み合わせを事前に排除することができるため、第２の直流出力電圧１０の変動範囲を効果的に小さく抑制することができる。
【００４２】
したがって、本発明の電気機器の制御装置は、フィードバック対象ではない第２の直流出力１０に接続される第２の負荷１４の駆動指令情報に基き、制御部１５の指示によって第１のダミー負荷１６の大きさを制御することで、非フィードバック側の第２の直流出力７における電圧変動範囲を狭く抑えることが可能となる。
【００４３】
さらに、第１の直流出力９に接続されたマイコンおよびリモコンの受信回路以外の負荷がすべてオフとなる待機状態において、本発明の電気機器の制御装置は、第１の出力９および第２の直流出力１０ともにダミー負荷を必要としないことから、従来の電気機器の制御装置に比べて、待機時の消費電力を小さく抑えることが可能となる。
【００４４】
なお、本発明は、図１に示すスイッチング電源１１の構成のみならず、図５のように、第１の直流出力１０と第２の直流出力１１に用いられる二次巻線の一部を共通とした構成においても同様の結果を得ることができる。
【００４５】
（実施の形態２）
本発明の実施の形態２にかかる構成は、実施の形態１と同じであり、図１または図５に示されるため詳細については省略する。
【００４６】
一般に、第２の直流出力を一定に保つためには、第２の直流出力１０に接続される第２の負荷１４が大きいほど、また、第１の直流出力に接続される第１の負荷１３が小さいほど、第１の直流出力９に接続された第１のダミー負荷１６を大きくし、必要なダミー電流を大きくしなければならない。
【００４７】
しかしながら、実際に第２の直流出力１０が大きく変動するのは、第１の負荷１３が小さく、かつ第２の負荷１４が大きい場合に限られることから、第２の直流出力１０が±１０％程度の許容誤差で問題なければ、さほど厳密に制御する必要はなくなる。
【００４８】
そこで、制御部１５は、第２の負荷１４の負荷電流が所定の電流よりも大きく、かつ、第１の負荷１３の負荷電流が所定の電流以下と予想される場合に、スイッチ手段１８をオンして、第１のダミー負荷１６を接続し、それ以外の負荷の組み合わせとなる時には、スイッチ手段１８すなわち、第１のダミー負荷１６をオフする。
【００４９】
以上の制御を行うことにより、実施の形態２における電気機器の制御装置は、非フィードバック対象である第２の直流出力１０の電圧を一定の範囲に抑えることができる。
【００５０】
本実施の形態２では、第２の負荷が大きい場合にあっても、第１の負荷１３が第２の直流出力１０を保つために必要な負荷電流よりも大きい場合には、不要なダミー電流を流さないことから、より効率よく第２の直流出力電圧を安定させることが可能となる。
【００５１】
（実施の形態３）
図６に、本発明の実施の形態３にかかる構成を示す。
【００５２】
本実施の形態３における電気機器の制御装置は、異なる３つの直流電圧によって駆動される３つ以上の負荷を有しており、第１の直流出力９には第１の負荷１３、第２の直流出力１０には第２の負荷１４、第３の直流出力２１には第３の負荷２２が接続されている。
【００５３】
具体的な負荷の例としては、例えば、空気調和機の制御装置では、第１の負荷１３としてマイコンおよびセンサ類、第２の負荷１４として弁駆動のためのリレー、および第３の負荷２２としてファンモータや圧縮機モータ駆動のためのインバータ部への電源供給が、それにあたり、それぞれ、ＤＣ５Ｖ、ＤＣ１２Ｖ，ＤＣ１５Ｖで駆動される。
【００５４】
一般的に、第２の直流出力１０および第３の直流出力２１は、フィードバック対象である第１の直流出力９に接続される第１の負荷１３が大きく、第２および第３の直流出力２１にそれぞれ接続される第２の負荷１４および第３の負荷２２が小さいほど、出力電圧が高くなる。
【００５５】
したがって、制御部１５は、あらかじめ、これら３種の負荷の組み合わせから、第１の直流出力９に接続された第１のダミー負荷１６の大きさを制御することで、フィードバック電圧である第１の直流出力電圧以外の出力電圧を安定化させることが可能となる。
【００５６】
図７に、実施の形態３にかかる第１のダミー負荷１６の構成を表す。
【００５７】
第１のダミー負荷１６は、第１のダミー抵抗２３とこれに直列に接続される第１のスイッチ手段２４と、第２のダミー抵抗２５とこれに直列に接続される第２のスイッチ手段２６とが並列に接続された構成をとっている。
【００５８】
例えば、空気調和機の例において、第１の負荷１３として、センサ類がすべてオフ、第２の負荷として、弁駆動のリレーがオン，第３の負荷として、ファンモータへの通電がオンの場合には、第１のダミー抵抗２３および第２のダミー抵抗２５を第１のスイッチ手段２４および第２のスイッチ手段２６をオンして第１の直流出力９に接続し、第２の直流出力１０および第３の直流出力２１の電圧低下を抑制する。
【００５９】
また、第１の負荷１４として、同様にセンサ類がすべてオフ，第２の負荷として、弁駆動のリレーがオン、第３の負荷として、ファンモータがオフの場合には、第１のスイッチ手段２４のみをオンし、第１のダミー抵抗２３のみを接続させることで、必要以上に第３の直流出力２１が上昇しないようにする。
【００６０】
さらに、第１の負荷１３として、センサ類がオンの場合には、第１のスイッチ手段２４および第２のスイッチ手段２６をともにオフとし、余分なダミー抵抗によるロスを抑制する。
【００６１】
さらに、通常の動作モード以外に、低消費電力モードを有するマイコンを用いれば、第２の負荷１４及び第３の負荷２２がともに無負荷の状態であるような待機時に、マイコンを通常モードから低消費電力モードに切り替えるとともに、第１のスイッチ手段２４および第２のスイッチ手段２６をともにオフとすることで、無駄なダミー抵抗でのロスを一切発生させることなく、待機時の消費電力のさらなる低減を行うことができる。
【００６２】
（実施の形態４）
図８は、本発明の実施の形態４にかかる電気機器の制御装置の構成図である。
【００６３】
第２の直流出力１０には、制御部１５の指示によってその負荷の大きさが制御される第２のダミー負荷２７が接続されている。
【００６４】
図９に、本発明の第４の実施形態における、制御部１５から、機器の負荷および第１および第２のダミー負荷１６、２７への駆動指令を表す図を表す。
【００６５】
第１の負荷１３は、負荷１ａ、負荷１ｂ、負荷１ｃからなり、第２の負荷１４は、負荷２ａおよび負荷２ｃからなる。第３の負荷２２は単独負荷である。
【００６６】
制御部１５は、上記すべての負荷に対して、オン／オフまたは、負荷の大きさを指示する負荷駆動指令手段２８を持ち、これらの負荷を制御するが、同時に、制御部１５内に設けられたダミー負荷駆動指令手段２９によって、あらかじめ定められた上記の負荷の組み合わせに対応する第１および第２のダミー負荷１６，２７への指示を行う。
【００６７】
なお、ダミー負荷駆動指令手段２９は、論理回路などで構成され、制御部１５の外にあっても構わない。
【００６８】
一般的に、フィードバック出力でない第２の負荷が無負荷の場合には、図に示すように出力電圧が上昇する傾向にあるから、本実施の形態４における発明では、制御部１５は、第１の負荷１３が小さく、第２の負荷１４が大きくなると予想される負荷をあらかじめ求めておき、その負荷の組み合わせ状態の駆動指令を出す場合には、第１のダミー負荷１６の負荷を大きくするだけでなく、上記の現象に対応するため、第１の負荷１３が大きく、第２の負荷１４が小さいと予想される負荷の組み合わせ状態を駆動指令する場合には、第１のダミー負荷１６をオフもしくは小さくするとともに、第２のダミー負荷２７をオンまたは大きくする。
【００６９】
例えば、空気調和機の制御装置における例として、第２のダミー負荷２７は、第３のダミー抵抗と第３のスイッチ手段によって構成されるものとすると（図示せず）、第１の負荷１３として、センサ類がすべてオンで、かつ、第２の負荷１４が無負荷となる場合には、制御部１５は、その駆動指令を出すとともに、第３のスイッチ手段をオンして、第３のダミー抵抗を接続することで、第２の直流出力電圧１０の上昇を防ぐことができる。
【００７０】
また、待機時動作などで、フィードバック出力である第１の負荷１３が非常に軽負荷で、かつ、第２の負荷１４が無負荷となる場合においては、第３のスイッチ手段をオフし、第２のダミー負荷２７による余分なロスを無くすことで、待機時における消費電力のさらなる低減を行うことができる。
【００７１】
以上のように、本実施の形態４にかかる発明により、第２の負荷１４が小さく、第２の直流出力１０の電圧上昇が問題になる場合についても、そのような動作を抑制することが可能となる。
【００７２】
なお、第１および第２の直流出力９、１０以外の直流出力の電圧変動範囲をも抑制したい場合には、該当する直流出力に、それぞれダミー負荷を設けて同様に制御してもよい。
【００７３】
【発明の効果】
以上のように、本発明の電気機器の制御装置によれば、一次巻線と複数の二次巻線を有するトランスと、前記トランスの一次巻線に直列に接続されたスイッチング手段と、前記二次巻線に各々接続された複数の整流手段とによって構成され、少なくとも２個以上の負荷に、少なくとも異なる２種以上の直流電圧を供給するスイッチング電源と、前記負荷の駆動指令を行う制御部とを備え、前記スイッチング電源は、第１の直流出力の出力電圧のみに基いてフィードバック制御され、前記第１の直流出力には、前記制御部からの指示に基いて負荷の大きさが調整される第１のダミー負荷が接続されており、第２の直流出力に接続される負荷への駆動指令に基いて、前記制御部により、第１の直流出力に接続された前記第１のダミー負荷の大きさを制御するもので、第２の直流出力の電圧が低下することを抑制し、第２の直流出力における電圧変動範囲を小さくすることができるという効果を奏する。
また、本発明によれば、制御部は、第１の直流出力に接続される第１の負荷の駆動指令と、第２の直流出力に接続される第２の負荷の駆動指令との組み合わせに基いて、前記第１のダミー負荷の大きさを制御するもので、第１のダミー負荷の大きさを、第２の負荷だけでなく、第１の負荷の駆動指令と合わせて決定することにより、不要なダミー負荷によるロスをさらに低減することができる。
また、本発明によれば、制御部は、第１の直流出力と第２の直流出力を含む少なくとも３個以上の複数のスイッチング電源の直流出力に接続される負荷の駆動指令の組み合わせに基いて、第１のダミー負荷の大きさを制御するもので、第３およびその他の出力電圧の変動範囲も考慮して、第２の直流出力の電圧変動範囲を小さくすることができる。
さらに本発明によれば、第２の直流出力には、制御部の指示に基いて負荷の大きさが調整される第２のダミー負荷を備え、前期制御部は、少なくとも第２の直流出力に接続される第２の負荷を含む１ないしは複数の負荷の駆動指令に基いて、第１のダミー負荷の大きさと、前記第２のダミー負荷の大きさとを制御するもので、第２の負荷が軽負荷時に生じる電圧上昇を抑制し、第２の直流出力電圧の変動範囲をより小さくすることが可能となるという効果を奏する。
【図面の簡単な説明】
【図１】本発明の第１および第２の実施の形態における電気機器の制御装置の構成図
【図２】本発明の２出力電源における非フィードバック出力の電圧波形例を表す図
【図３】本発明の２出力電源における非フィードバック出力の負荷電流−出力電圧特性の例を表す図
【図４】本発明の実施の形態１における第１のダミー負荷の構成を表す図
【図５】本発明の第１および第２の実施形態における電気機器の制御装置における別の構成図
【図６】本発明の第３の実施の形態における電気機器の制御装置の構成図
【図７】本発明の第３の実施の形態における第１のダミー負荷を表す図
【図８】本発明の第４の実施の形態における電気機器の制御装置の構成図
【図９】本発明の第４の実施の形態における制御部の負荷およびダミー負荷の駆動指令を表す図
【図１０】従来の電気機器の制御装置における構成図
【符号の説明】
１  直流電圧源
２  一次巻線
３ａ  二次巻線
３ｂ  二次巻線
３ｃ  二次巻線
４  トランス
５  スイッチング手段
６  スナバ回路
７ａ第１の整流素子
７ｂ第２の整流素子
８ａ  第１の平滑コンデンサ
８ｂ  第２の平滑コンデンサ
９  第１の直流出力
１０  第２の直流出力
１１  スイッチング電源
１２  フィードバック電圧検出手段
１３  第１の負荷
１４  第２の負荷
１５  制御部
１６  第１のダミー負荷
１７  第１のダミー抵抗
１８  第１のスイッチ手段
２１  第３の直流出力
２２  第３の負荷
２３  第１のダミー抵抗
２４  第１のスイッチ手段
２５  第２のダミー抵抗
２６  第２のスイッチ手段
２７  第３のダミー負荷
２８  負荷駆動指令手段
２９  ダミー負荷駆動指令手段
１０１  ダミー抵抗
１０２  定電圧回路
１０３  第１の分圧抵抗
１０４  第２の分圧抵抗
１０５  第３の分圧抵抗
【図１】
2004357420.tif 000003
【図２】
2004357420.tif 000004
【図３】
2004357420.tif 000005
【図４】
2004357420.tif 000006
【図５】
2004357420.tif 000007
【図６】
2004357420.tif 000008
【図７】
2004357420.tif 000009
【図８】
2004357420.tif 000010
【図９】
2004357420.tif 000011
【図１０】
2004357420.tif 000012